【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
所与の直径を有する動脈における狭窄を開口するための高速回転式アテレクトミーデバイスであって、
該動脈の該直径よりも小さい最大直径を有するガイドワイヤと、
該ガイドワイヤ上で前進可能である、可撓性で細長い回転可能な駆動シャフトであって、回転軸を有する駆動シャフトと、
該駆動シャフトに取り付けられる、少なくとも１つの偏心研磨ヘッドであって、該偏心研磨ヘッドは、近位部分、中間部分、および遠位部分を備え、該近位部分は近位外面を備え、該中間部分は中間外面を備え、該遠位部分は遠位外面を備え、該近位外面は遠位に増加する直径と近位の丸い縁とを備え、該遠位外面は遠位に減少する直径を有し、該中間外面は円柱状であり、少なくとも該中間外面は組織切除部を備え、該研磨ヘッドは、該研磨ヘッドを通る駆動シャフト管腔および中空チャンバを画定し、該駆動シャフトは、少なくとも部分的に該駆動シャフト管腔を横断する、偏心研磨ヘッドと
を備える、高速回転式アテレクトミーデバイス。
【請求項２】
前記遠位外面は、遠位の丸い縁を備える、請求項１に記載の回転式アテレクトミーデバイス。
【請求項３】
前記少なくとも１つの偏心研磨ヘッドは、少なくとも部分的に可撓性である、請求項１に記載の回転式アテレクトミーデバイス。
【請求項４】
前記少なくとも１つの偏心研磨ヘッドは、前記近位部分、中間部分、および／または遠位部分上に配置される、少なくとも１つの可撓性スロットを備え、該少なくとも１つの可撓性スロットは、切断の制御可能な幅、深さ、および角度を有する、請求項３に記載の回転式アテレクトミーデバイス。
【請求項５】
前記少なくとも１つの偏心研磨ヘッドは、非可撓性である、請求項１に記載の回転式アテレクトミーデバイス。  
【請求項６】
前記駆動シャフト管腔を横断し、かつそれに付着する前記駆動シャフトの一部分は、単一の連続した駆動シャフトを備える、請求項１に記載の回転式アテレクトミーデバイス。
【請求項７】
前記駆動シャフト管腔を横断し、かつそれに付着する前記駆動シャフトの一部分は、少なくとも２つの部分を備え、各部分は、該少なくとも２つの駆動シャフト部分の間に間隙を伴って、該駆動シャフト管腔に取り付けられる、請求項６に記載の回転式アテレクトミーデバイス。
【請求項８】
前記少なくとも１つの偏心研磨ヘッドの前記中間外面は、遠位に増加する直径を備える、請求項１に記載の回転式アテレクトミーデバイス。
【請求項９】
前記少なくとも１つの偏心研磨ヘッドの前記中間外面は、遠位に減少する直径を備える、請求項１に記載の回転式アテレクトミーデバイス。
【請求項１０】
前記少なくとも１つの偏心研磨ヘッドの前記中間外面は、前記近位外面および遠位外面の間に円滑遷移を伴って成形される凸面を備える、請求項１に記載の回転式アテレクトミーデバイス。
【請求項１１】
前記少なくとも１つの偏心研磨ヘッドの前記近位外面は、円錐の外側面によって実質的に画定され、該円錐は、前記駆動シャフトの前記回転軸に交差する軸を有する、請求項１に記載の回転式アテレクトミーデバイス。
【請求項１２】
前記少なくとも１つの偏心研磨ヘッドの前記遠位外面は、円錐の外側面によって実質的に画定され、該円錐は、前記駆動シャフトの前記回転軸に交差する軸を有する、請求項１に記載の回転式アテレクトミーデバイス。
【請求項１３】
前記近位の丸い縁は、組織切除面を備える、請求項１に記載の回転式アテレクトミーデバイス。
【請求項１４】
前記遠位の丸い縁は、組織切除面を備える、請求項２に記載の回転式アテレクトミーデバイス。
【請求項１５】
前記近位外面、遠位外面、および中間外面は、組織切除部を備える、請求項１に記載の回転式アテレクトミーデバイス。
【請求項１６】
前記中間外面のみは、組織切除部を備える、請求項１に記載の回転式アテレクトミーデバイス。
【請求項１７】
前記近位外面、遠位外面、および中間外面を前記中空チャンバから分離する、少なくとも１つの壁をさらに備え、該少なくとも１つの壁は、最低０．００８インチの厚さである、請求項１に記載の回転式アテレクトミーデバイス。
【請求項１８】
前記近位外面の円錐軸および前記遠位外面の円錐軸は、相互に交差し、前記駆動シャフトの前記回転軸と同一平面上にある、請求項１１に記載の回転式アテレクトミーデバイス。
【請求項１９】
前記遠位外面は、概して一定の割合で遠位に増加する直径を有し、それにより、概して円錐形状を形成する、請求項１に記載の回転式アテレクトミーデバイス。
【請求項２０】
前記近位外面は、概して一定の割合で遠位に減少する直径を有し、それにより、概して円錐形状を形成する、請求項１９に記載の回転式アテレクトミーデバイス。
【請求項２１】
各円錐の対向側面は、相互に対して約１０°から約３０°の間の角度αにある、請求項２０に記載の回転式アテレクトミーデバイス。
【請求項２２】
各円錐の対向側面は、相互に対して約２０°から約２４°の間の角度αにある、請求項２０に記載の回転式アテレクトミーデバイス。
【請求項２３】
前記少なくとも１つの偏心研磨ヘッドの前記円錐の各々は、前記駆動シャフトの前記回転軸に平行ではない軸を有する、請求項２０に記載の回転式アテレクトミーデバイス。
【請求項２４】
前記少なくとも１つの偏心研磨ヘッドの前記円錐の前記軸は、同一平面上にあり、約２°から約８°の間の角度βで前記駆動シャフトの前記回転軸と交差する、請求項２０に記載の回転式アテレクトミーデバイス。
【請求項２５】
前記少なくとも１つの偏心研磨ヘッドの前記円錐の前記軸は、同一平面上にあり、約３°から約６°の間の角度βで前記駆動シャフトの前記回転軸と交差する、請求項２０に記載の回転式アテレクトミーデバイス。
【請求項２６】
前記近位外面は、少なくとも２つの領域を備え、該２つの領域のうちの第１の領域は、第１の円錐台の外側面によって実質的に画定され、該２つの範囲のうちの第２の領域は、第２の円錐台の外側面によって実質的に画定され、該第１の円錐は、前記駆動シャフトの前記回転軸に一致する軸を有し、該第２の円錐は、該第１の円錐の該軸に平行であり、かつそこから離間した軸を有する、請求項１に記載の回転式アテレクトミーデバイス。
【請求項２７】
前記遠位外面は、少なくとも２つの領域を備え、該２つの領域のうちの第１の領域は、第１の円錐台の外側面によって実質的に画定され、該２つの範囲のうちの第２の領域は、第２の円錐台の外側面によって実質的に画定され、該第１の円錐は、前記駆動シャフトの前記回転軸に一致する軸を有し、該第２の円錐は、該第１の円錐の該軸に平行であり、かつそこから離間した軸を有する、請求項１に記載の回転式アテレクトミーデバイス。
【請求項２８】
前記第１の円錐の前記外側面と、該第１の円錐の前記軸との間に形成される角度は、前記第２の円錐の前記外側面と、該第２の円錐の前記軸との間に形成される角度よりも大きい、請求項２６に記載の回転式アテレクトミーデバイス。
【請求項２９】
前記第１の円錐の前記外側面と、該第１の円錐の前記軸との間に形成される角度は、前記第２の円錐の前記外側面と、該第２の円錐の前記軸との間に形成される角度よりも大きい、請求項２７に記載の回転式アテレクトミーデバイス。
【請求項３０】
前記遠位外面および前記近位外面はそれぞれ、少なくとも２つの領域を備え、該２つの領域のうちの第１の領域は、第１の円錐台の外側面によって実質的に画定され、該２つの領域のうちの第２の領域は、第２の円錐台の外側面によって実質的に画定され、該第１の円錐は、前記駆動シャフトの前記回転軸に一致する軸を有し、該第２の円錐は、該第１の円錐の該軸に平行であり、かつそこから離間した軸を有する、請求項１に記載の回転式アテレクトミーデバイス。
【請求項３１】
前記近位外面および遠位外面の前記第２の円錐は、前記駆動シャフトの前記回転軸に平行であり、かつそこから離間した共通軸を有する、請求項３０に記載の回転式アテレクトミーデバイス。
【請求項３２】
前記中間外面は、円柱の外側面によって実質的に画定される、請求項３０に記載の回転式アテレクトミーデバイス。
【請求項３３】
前記近位外面および遠位外面の前記２つの第２の円錐の各々は、前記中間外面を画定する前記円柱の直径に等しい直径を有する基部を有する、請求項３２に記載の回転式アテレクトミーデバイス。
【請求項３４】
前記中間外面は、前記近位外面および遠位外面の前記第２の円錐の前記軸に共通である軸を有する、円柱の外側面によって実質的に画定される、請求項３０に記載の回転式アテレクトミーデバイス。
【請求項３５】
前記中間外面は、前記偏心研磨ヘッドの前記近位外面および遠位外面の間に円滑遷移を提供するように成形される、請求項３０に記載の回転式アテレクトミーデバイス。
【請求項３６】
前記少なくとも１つの偏心研磨ヘッドの前記近位外面および遠位外面は、相互に実質的に対称である、請求項３０に記載の回転式アテレクトミーデバイス。
【請求項３７】
前記少なくとも１つの偏心研磨ヘッドの前記近位外面および遠位外面は、相互に対称ではない、請求項３０に記載の回転式アテレクトミーデバイス。
【請求項３８】
前記近位外面は、少なくとも２つの領域を備え、該２つの領域のうちの第１の領域は、近位円錐の外側面によって実質的に画定され、該２つの領域のうちの第２の領域は、円柱の外側面によって実質的に画定され、該近位円錐は、前記駆動シャフトの前記回転軸に一致する軸を有し、該円柱は、該駆動シャフトの該回転軸に平行であり、かつそこから離間した軸を有する、請求項１に記載の回転式アテレクトミーデバイス。
【請求項３９】
前記遠位外面は、少なくとも２つの領域を備え、該２つの領域のうちの第１の領域は、遠位円錐の外側面によって実質的に画定され、該２つの領域のうちの第２の領域は、円柱の外側面によって実質的に画定され、該遠位円錐は、前記駆動シャフトの前記回転軸に一致する軸を有し、該円柱は、該駆動シャフトの該回転軸に平行であり、かつそこから離間した軸を有する、請求項３８に記載の回転式アテレクトミーデバイス。
【請求項４０】
前記中間外面は、前記少なくとも１つの偏心研磨ヘッドの前記近位外面および遠位外面の前記第２の領域を画定する、前記円柱の外側面によって実質的に画定される、請求項３９に記載の回転式アテレクトミーデバイス。
【請求項４１】
前記少なくとも１つの偏心研磨ヘッドは、前記駆動シャフトの前記回転軸から半径方向に離間される重心を有する、請求項１に記載の回転式アテレクトミーデバイス。
【請求項４２】
前記偏心拡大直径部は、約１．０ｍｍから約１．５ｍｍの間の最大直径を有し、前記重心は、前記駆動シャフトの前記回転軸から、少なくとも約０．０１３ｍｍの距離だけ離間される、請求項４１に記載の回転式アテレクトミーデバイス。
【請求項４３】
前記偏心拡大直径部は、約１．５ｍｍから約１．７５ｍｍの間の最大直径を有し、前記重心は、前記駆動シャフトの前記回転軸から、少なくとも約０．０３ｍｍの距離だけ離間される、請求項４１に記載の回転式アテレクトミーデバイス。
【請求項４４】
前記偏心拡大直径部は、約１．７５ｍｍから約２．０ｍｍの間の最大直径を有し、前記重心は、前記駆動シャフトの前記回転軸から、少なくとも約０．０６ｍｍの距離だけ離間される、請求項４１に記載の回転式アテレクトミーデバイス。
【請求項４５】
前記偏心拡大直径部は、約２．０ｍｍの最大直径を有し、前記重心は、前記駆動シャフトの前記回転軸から、少なくとも約０．１ｍｍの距離だけ離間される、請求項４１に記載の回転式アテレクトミーデバイス。
【請求項４６】
前記偏心拡大直径部は、約１．０ｍｍから約１．５ｍｍの間の最大直径を有し、前記重心は、前記駆動シャフトの前記回転軸から、少なくとも約０．０２ｍｍの距離だけ離間される、請求項４１に記載の回転式アテレクトミーデバイス。
【請求項４７】
前記偏心拡大直径部は、約１．５ｍｍから約１．７５ｍｍの間の最大直径を有し、前記重心は、前記駆動シャフトの回転軸から、少なくとも約０．０５ｍｍの距離だけ離間される、請求項４１に記載の回転式アテレクトミーデバイス。
【請求項４８】
前記偏心拡大直径部は、約１．７５ｍｍから約２．０ｍｍの間の最大直径を有し、前記重心は、前記駆動シャフトの前記回転軸から、少なくとも約０．１ｍｍの距離だけ離間される、請求項４１に記載の回転式アテレクトミーデバイス。
【請求項４９】
前記偏心拡大直径部は、少なくとも約２．０ｍｍの最大直径を有し、前記重心は、前記駆動シャフトの前記回転軸から、少なくとも約０．１６ｍｍの距離だけ離間される、請求項４１に記載の回転式アテレクトミーデバイス。
【請求項５０】
前記偏心拡大直径部の最大断面直径の位置で得られる、該偏心拡大直径部の横断面は、前記駆動シャフトの前記回転軸から離間される幾何学的中心を有する、請求項１に記載の回転式アテレクトミーデバイス。
【請求項５１】
前記偏心拡大直径部は、約１．０ｍｍから約１．５ｍｍの間の最大断面直径を有し、前記幾何学的中心は、前記駆動シャフトの前記回転軸から、少なくとも約０．０２ｍｍの距離だけ離間される、請求項４０に記載の回転式アテレクトミーデバイス。
【請求項５２】
前記偏心拡大直径部は、約１．５ｍｍから約１．７５ｍｍの間の最大断面直径を有し、前記幾何学的中心は、前記駆動シャフトの前記回転軸から、少なくとも約０．０５ｍｍの距離だけ離間される、請求項５０に記載の回転式アテレクトミーデバイス。
【請求項５３】
前記偏心拡大直径部は、約１．７５ｍｍから約２．０ｍｍの間の最大断面直径を有し、前記幾何学的中心は、前記駆動シャフトの前記回転軸から、少なくとも約０．１ｍｍの距離だけ離間される、請求項５０に記載の回転式アテレクトミーデバイス。
【請求項５４】
前記偏心拡大直径部は、少なくとも約２．０ｍｍの最大断面直径を有し、前記幾何学的中心は、前記駆動シャフトの前記回転軸から、少なくとも約０．１５ｍｍの距離だけ離間される、請求項５０に記載の回転式アテレクトミーデバイス。
【請求項５５】
前記偏心拡大直径部は、約１．０ｍｍから約１．５ｍｍの間の最大断面直径を有し、前記幾何学的中心は、前記駆動シャフトの前記回転軸から、少なくとも約０．０３５ｍｍの距離だけ離間される、請求項５０に記載の回転式アテレクトミーデバイス。
【請求項５６】
前記偏心拡大直径部は、約１．５ｍｍから約１．７５ｍｍの間の最大断面直径を有し、前記幾何学的中心は、前記駆動シャフトの前記回転軸から、少なくとも約０．０７ｍｍの距離だけ離間される、請求項５０に記載の回転式アテレクトミーデバイス。
【請求項５７】
前記偏心拡大直径部は、約１．７５ｍｍから約２．０ｍｍの間の最大断面直径を有し、前記幾何学的中心は、前記駆動シャフトの前記回転軸から、少なくとも約０．１５ｍｍの距離だけ離間される、請求項５０に記載の回転式アテレクトミーデバイス。
【請求項５８】
前記偏心拡大直径部は、少なくとも約２．０ｍｍの最大断面直径を有し、前記幾何学的中心は、前記駆動シャフトの前記回転軸から、少なくとも約０．２５ｍｍの距離だけ離間される、請求項５０に記載の回転式アテレクトミーデバイス。
【請求項５９】
前記偏心拡大直径部は、約１．５ｍｍから約１．７５ｍｍの間の最大断面直径を有し、前記幾何学的中心は、前記駆動シャフトの前記回転軸から、少なくとも約０．０９ｍｍの距離だけ離間される、請求項５０に記載の回転式アテレクトミーデバイス。
【請求項６０】
前記偏心拡大直径部は、約１．７５ｍｍから約２．０ｍｍの間の最大断面直径を有し、前記幾何学的中心は、前記駆動シャフトの前記回転軸から、少なくとも約０．２０ｍｍの距離だけ離間される、請求項５０に記載の回転式アテレクトミーデバイス。
【請求項６１】
前記偏心拡大直径区分は、少なくとも約２．０ｍｍの最大断面直径を有し、前記幾何学的中心は、前記駆動シャフトの前記回転軸から、少なくとも約０．３０ｍｍの距離だけ離間される、請求項５０に記載の回転式アテレクトミーデバイス。
【請求項６２】
前記組織切除面は、研磨面である、請求項１に記載の回転式アテレクトミーデバイス。
【請求項６３】
所与の直径を有する動脈における狭窄を開口するための高速回転式アテレクトミーデバイスであって、
該動脈の該直径よりも小さい最大直径を有するガイドワイヤと、
該ガイドワイヤ上で前進可能である、可撓性で細長い回転可能な駆動シャフトであって、回転軸を有する駆動シャフトと、
該駆動シャフトに取り付けられる、少なくとも１つの半王冠状偏心研磨ヘッドであって、該研磨ヘッドは、近位部分および中間部分を備え、該近位部分は近位外面を備え、該中間部分は中間外面を備え、該近位外面は、遠位に増加する直径と、近位の丸い縁とを有し、該中間外面は、円柱状であり、少なくとも該中間外面は、組織切除部を備え、該研磨ヘッドは、該研磨ヘッドを通る駆動シャフト管腔および中空チャンバを画定し、該駆動シャフトは、少なくとも部分的に該駆動シャフト管腔を横断する、偏心研磨ヘッドと
を備える、高速回転式アテレクトミーデバイス。
【請求項６４】
前記近位外面は、少なくとも２つの領域を備え、該２つの領域のうちの第１の領域は、近位円錐の外側面によって実質的に画定され、該２つの領域のうちの第２の領域は、円柱の外側面によって実質的に画定され、該近位円錐は、前記駆動シャフトの前記回転軸に一致する軸を有し、該円柱は、該駆動シャフトの該回転軸に平行であり、かつ該駆動シャフトの該回転軸から離間した軸を有し、前記中間外面は、前記少なくとも１つの偏心研磨ヘッドの前記近位外面および遠位外面の第２の領域を画定する、該円柱の外側面によって実質的に画定される、請求項６３に記載の回転式アテレクトミーデバイス。
【請求項６５】
前記少なくとも１つの半王冠状偏心研磨ヘッドは、少なくとも部分的に可撓性である、請求項６３に記載の回転式アテレクトミーデバイス。
【請求項６６】
前記少なくとも１つの半王冠状偏心研磨ヘッドは、前記近位部分、中間部分、および／または遠位部分上に配置される、少なくとも１つの可撓性スロットを備え、前記少なくとも１つの可撓性スロットは、切断の制御可能な幅、深さ、および角度を有する、請求項６４に記載の回転式アテレクトミーデバイス。
【請求項６７】
前記ガイドワイヤは前記狭窄の近位の位置まで、該動脈内へ前進するように構成され、
前記駆動シャフトおよび取り付けられた少なくとも１つの偏心研磨ヘッドを、２０，０００ｒｐｍから２００，０００ｒｐｍの間の速度で回転するように構成され、
該少なくとも１つの偏心研磨ヘッドは該狭窄に隣接し、
該少なくとも１つの偏心研磨ヘッドが、
横断する間に軌道経路を生成することと、
該狭窄を研磨することと
を行うように構成される、請求項1に記載の回転式アテレクトミーデバイス。
【手続補正２】
【補正対象書類名】明細書
【補正対象項目名】００２１
【補正方法】変更
【補正の内容】
【００２１】
以下の図および発明を実施するための形態は、本発明のこれらの実施形態および他の実施形態をより具体的に例示する。
例えば、本発明は以下の項目を提供する。
（項目１）
所与の直径を有する動脈における狭窄を開口するための高速回転式アテレクトミーデバイスであって、
該動脈の該直径よりも小さい最大直径を有するガイドワイヤと、
該ガイドワイヤ上で前進可能である、可撓性で細長い回転可能な駆動シャフトであって、回転軸を有する駆動シャフトと、
該駆動シャフトに取り付けられる、少なくとも１つの偏心研磨ヘッドであって、該偏心研磨ヘッドは、近位部分、中間部分、および遠位部分を備え、該近位部分は近位外面を備え、該中間部分は中間外面を備え、該遠位部分は遠位外面を備え、該近位外面は遠位に増加する直径と近位の丸い縁とを備え、該遠位外面は遠位に減少する直径を有し、該中間外面は円柱状であり、少なくとも該中間外面は組織切除部を備え、該研磨ヘッドは、該研磨ヘッドを通る駆動シャフト管腔および中空チャンバを画定し、該駆動シャフトは、少なくとも部分的に該駆動シャフト管腔を横断する、偏心研磨ヘッドと
を備える、高速回転式アテレクトミーデバイス。
（項目２）
上記遠位外面は、遠位の丸い縁を備える、項目１に記載の回転式アテレクトミーデバイス。
（項目３）
上記少なくとも１つの偏心研磨ヘッドは、少なくとも部分的に可撓性である、項目１に記載の回転式アテレクトミーデバイス。
（項目４）
上記少なくとも１つの偏心研磨ヘッドは、上記近位部分、中間部分、および／または遠位部分上に配置される、少なくとも１つの可撓性スロットを備え、該少なくとも１つの可撓性スロットは、切断の制御可能な幅、深さ、および角度を有する、項目３に記載の回転式アテレクトミーデバイス。
（項目５）
上記少なくとも１つの偏心研磨ヘッドは、非可撓性である、項目１に記載の回転式アテレクトミーデバイス。  
（項目６）
上記駆動シャフト管腔を横断し、かつそれに付着する上記駆動シャフトの一部分は、単一の連続した駆動シャフトを備える、項目１に記載の回転式アテレクトミーデバイス。
（項目７）
上記駆動シャフト管腔を横断し、かつそれに付着する上記駆動シャフトの一部分は、少なくとも２つの部分を備え、各部分は、該少なくとも２つの駆動シャフト部分の間に間隙を伴って、該駆動シャフト管腔に取り付けられる、項目６に記載の回転式アテレクトミーデバイス。
（項目８）
上記少なくとも１つの偏心研磨ヘッドの上記中間外面は、遠位に増加する直径を備える、項目１に記載の回転式アテレクトミーデバイス。
（項目９）
上記少なくとも１つの偏心研磨ヘッドの上記中間外面は、遠位に減少する直径を備える、項目１に記載の回転式アテレクトミーデバイス。
（項目１０）
上記少なくとも１つの偏心研磨ヘッドの上記中間外面は、上記近位外面および遠位外面の間に円滑遷移を伴って成形される凸面を備える、項目１に記載の回転式アテレクトミーデバイス。
（項目１１）
上記少なくとも１つの偏心研磨ヘッドの上記近位外面は、円錐の外側面によって実質的に画定され、該円錐は、上記駆動シャフトの上記回転軸に交差する軸を有する、項目１に記載の回転式アテレクトミーデバイス。
（項目１２）
上記少なくとも１つの偏心研磨ヘッドの上記遠位外面は、円錐の外側面によって実質的に画定され、該円錐は、上記駆動シャフトの上記回転軸に交差する軸を有する、項目１に記載の回転式アテレクトミーデバイス。
（項目１３）
上記近位の丸い縁は、組織切除面を備える、項目１に記載の回転式アテレクトミーデバイス。
（項目１４）
上記遠位の丸い縁は、組織切除面を備える、項目２に記載の回転式アテレクトミーデバイス。
（項目１５）
上記近位外面、遠位外面、および中間外面は、組織切除部を備える、項目１に記載の回転式アテレクトミーデバイス。
（項目１６）
上記中間外面のみは、組織切除部を備える、項目１に記載の回転式アテレクトミーデバイス。
（項目１７）
上記近位外面、遠位外面、および中間外面を上記中空チャンバから分離する、少なくとも１つの壁をさらに備え、該少なくとも１つの壁は、最低０．００８インチの厚さである、項目１に記載の回転式アテレクトミーデバイス。
（項目１８）
上記近位外面の円錐軸および上記遠位外面の円錐軸は、相互に交差し、上記駆動シャフトの上記回転軸と同一平面上にある、項目１１に記載の回転式アテレクトミーデバイス。
（項目１９）
上記遠位外面は、概して一定の割合で遠位に増加する直径を有し、それにより、概して円錐形状を形成する、項目１に記載の回転式アテレクトミーデバイス。
（項目２０）
上記近位外面は、概して一定の割合で遠位に減少する直径を有し、それにより、概して円錐形状を形成する、項目１９に記載の回転式アテレクトミーデバイス。
（項目２１）
各円錐の対向側面は、相互に対して約１０°から約３０°の間の角度αにある、項目２０に記載の回転式アテレクトミーデバイス。
（項目２２）
各円錐の対向側面は、相互に対して約２０°から約２４°の間の角度αにある、項目２０に記載の回転式アテレクトミーデバイス。
（項目２３）
上記少なくとも１つの偏心研磨ヘッドの上記円錐の各々は、上記駆動シャフトの上記回転軸に平行ではない軸を有する、項目２０に記載の回転式アテレクトミーデバイス。
（項目２４）
上記少なくとも１つの偏心研磨ヘッドの上記円錐の上記軸は、同一平面上にあり、約２°から約８°の間の角度βで上記駆動シャフトの上記回転軸と交差する、項目２０に記載の回転式アテレクトミーデバイス。
（項目２５）
上記少なくとも１つの偏心研磨ヘッドの上記円錐の上記軸は、同一平面上にあり、約３°から約６°の間の角度βで上記駆動シャフトの上記回転軸と交差する、項目２０に記載の回転式アテレクトミーデバイス。
（項目２６）
上記近位外面は、少なくとも２つの領域を備え、該２つの領域のうちの第１の領域は、第１の円錐台の外側面によって実質的に画定され、該２つの範囲のうちの第２の領域は、第２の円錐台の外側面によって実質的に画定され、該第１の円錐は、上記駆動シャフトの上記回転軸に一致する軸を有し、該第２の円錐は、該第１の円錐の該軸に平行であり、かつそこから離間した軸を有する、項目１に記載の回転式アテレクトミーデバイス。
（項目２７）
上記遠位外面は、少なくとも２つの領域を備え、該２つの領域のうちの第１の領域は、第１の円錐台の外側面によって実質的に画定され、該２つの範囲のうちの第２の領域は、第２の円錐台の外側面によって実質的に画定され、該第１の円錐は、上記駆動シャフトの上記回転軸に一致する軸を有し、該第２の円錐は、該第１の円錐の該軸に平行であり、かつそこから離間した軸を有する、項目１に記載の回転式アテレクトミーデバイス。
（項目２８）
上記第１の円錐の上記外側面と、該第１の円錐の上記軸との間に形成される角度は、上記第２の円錐の上記外側面と、該第２の円錐の上記軸との間に形成される角度よりも大きい、項目２６に記載の回転式アテレクトミーデバイス。
（項目２９）
上記第１の円錐の上記外側面と、該第１の円錐の上記軸との間に形成される角度は、上記第２の円錐の上記外側面と、該第２の円錐の上記軸との間に形成される角度よりも大きい、項目２７に記載の回転式アテレクトミーデバイス。
（項目３０）
上記遠位外面および上記近位外面はそれぞれ、少なくとも２つの領域を備え、該２つの領域のうちの第１の領域は、第１の円錐台の外側面によって実質的に画定され、該２つの領域のうちの第２の領域は、第２の円錐台の外側面によって実質的に画定され、該第１の円錐は、上記駆動シャフトの上記回転軸に一致する軸を有し、該第２の円錐は、該第１の円錐の該軸に平行であり、かつそこから離間した軸を有する、項目１に記載の回転式アテレクトミーデバイス。
（項目３１）
上記近位外面および遠位外面の上記第２の円錐は、上記駆動シャフトの上記回転軸に平行であり、かつそこから離間した共通軸を有する、項目３０に記載の回転式アテレクトミーデバイス。
（項目３２）
上記中間外面は、円柱の外側面によって実質的に画定される、項目３０に記載の回転式アテレクトミーデバイス。
（項目３３）
上記近位外面および遠位外面の上記２つの第２の円錐の各々は、上記中間外面を画定する上記円柱の直径に等しい直径を有する基部を有する、項目３２に記載の回転式アテレクトミーデバイス。
（項目３４）
上記中間外面は、上記近位外面および遠位外面の上記第２の円錐の上記軸に共通である軸を有する、円柱の外側面によって実質的に画定される、項目３０に記載の回転式アテレクトミーデバイス。
（項目３５）
上記中間外面は、上記偏心研磨ヘッドの上記近位外面および遠位外面の間に円滑遷移を提供するように成形される、項目３０に記載の回転式アテレクトミーデバイス。
（項目３６）
上記少なくとも１つの偏心研磨ヘッドの上記近位外面および遠位外面は、相互に実質的に対称である、項目３０に記載の回転式アテレクトミーデバイス。
（項目３７）
上記少なくとも１つの偏心研磨ヘッドの上記近位外面および遠位外面は、相互に対称ではない、項目３０に記載の回転式アテレクトミーデバイス。
（項目３８）
上記近位外面は、少なくとも２つの領域を備え、該２つの領域のうちの第１の領域は、近位円錐の外側面によって実質的に画定され、該２つの領域のうちの第２の領域は、円柱の外側面によって実質的に画定され、該近位円錐は、上記駆動シャフトの上記回転軸に一致する軸を有し、該円柱は、該駆動シャフトの該回転軸に平行であり、かつそこから離間した軸を有する、項目１に記載の回転式アテレクトミーデバイス。
（項目３９）
上記遠位外面は、少なくとも２つの領域を備え、該２つの領域のうちの第１の領域は、遠位円錐の外側面によって実質的に画定され、該２つの領域のうちの第２の領域は、円柱の外側面によって実質的に画定され、該遠位円錐は、上記駆動シャフトの上記回転軸に一致する軸を有し、該円柱は、該駆動シャフトの該回転軸に平行であり、かつそこから離間した軸を有する、項目３８に記載の回転式アテレクトミーデバイス。
（項目４０）
上記中間外面は、上記少なくとも１つの偏心研磨ヘッドの上記近位外面および遠位外面の上記第２の領域を画定する、上記円柱の外側面によって実質的に画定される、項目３９に記載の回転式アテレクトミーデバイス。
（項目４１）
上記少なくとも１つの偏心研磨ヘッドは、上記駆動シャフトの上記回転軸から半径方向に離間される重心を有する、項目１に記載の回転式アテレクトミーデバイス。
（項目４２）
上記偏心拡大直径部は、約１．０ｍｍから約１．５ｍｍの間の最大直径を有し、上記重心は、上記駆動シャフトの上記回転軸から、少なくとも約０．０１３ｍｍの距離だけ離間される、項目４１に記載の回転式アテレクトミーデバイス。
（項目４３）
上記偏心拡大直径部は、約１．５ｍｍから約１．７５ｍｍの間の最大直径を有し、上記重心は、上記駆動シャフトの上記回転軸から、少なくとも約０．０３ｍｍの距離だけ離間される、項目４１に記載の回転式アテレクトミーデバイス。
（項目４４）
上記偏心拡大直径部は、約１．７５ｍｍから約２．０ｍｍの間の最大直径を有し、上記重心は、上記駆動シャフトの上記回転軸から、少なくとも約０．０６ｍｍの距離だけ離間される、項目４１に記載の回転式アテレクトミーデバイス。
（項目４５）
上記偏心拡大直径部は、約２．０ｍｍの最大直径を有し、上記重心は、上記駆動シャフトの上記回転軸から、少なくとも約０．１ｍｍの距離だけ離間される、項目４１に記載の回転式アテレクトミーデバイス。
（項目４６）
上記偏心拡大直径部は、約１．０ｍｍから約１．５ｍｍの間の最大直径を有し、上記重心は、上記駆動シャフトの上記回転軸から、少なくとも約０．０２ｍｍの距離だけ離間される、項目４１に記載の回転式アテレクトミーデバイス。
（項目４７）
上記偏心拡大直径部は、約１．５ｍｍから約１．７５ｍｍの間の最大直径を有し、上記重心は、上記駆動シャフトの回転軸から、少なくとも約０．０５ｍｍの距離だけ離間される、項目４１に記載の回転式アテレクトミーデバイス。
（項目４８）
上記偏心拡大直径部は、約１．７５ｍｍから約２．０ｍｍの間の最大直径を有し、上記重心は、上記駆動シャフトの上記回転軸から、少なくとも約０．１ｍｍの距離だけ離間される、項目４１に記載の回転式アテレクトミーデバイス。
（項目４９）
上記偏心拡大直径部は、少なくとも約２．０ｍｍの最大直径を有し、上記重心は、上記駆動シャフトの上記回転軸から、少なくとも約０．１６ｍｍの距離だけ離間される、項目４１に記載の回転式アテレクトミーデバイス。
（項目５０）
上記偏心拡大直径部の最大断面直径の位置で得られる、該偏心拡大直径部の横断面は、上記駆動シャフトの上記回転軸から離間される幾何学的中心を有する、項目１に記載の回転式アテレクトミーデバイス。
（項目５１）
上記偏心拡大直径部は、約１．０ｍｍから約１．５ｍｍの間の最大断面直径を有し、上記幾何学的中心は、上記駆動シャフトの上記回転軸から、少なくとも約０．０２ｍｍの距離だけ離間される、項目４０に記載の回転式アテレクトミーデバイス。
（項目５２）
上記偏心拡大直径部は、約１．５ｍｍから約１．７５ｍｍの間の最大断面直径を有し、上記幾何学的中心は、上記駆動シャフトの上記回転軸から、少なくとも約０．０５ｍｍの距離だけ離間される、項目５０に記載の回転式アテレクトミーデバイス。
（項目５３）
上記偏心拡大直径部は、約１．７５ｍｍから約２．０ｍｍの間の最大断面直径を有し、上記幾何学的中心は、上記駆動シャフトの上記回転軸から、少なくとも約０．１ｍｍの距離だけ離間される、項目５０に記載の回転式アテレクトミーデバイス。
（項目５４）
上記偏心拡大直径部は、少なくとも約２．０ｍｍの最大断面直径を有し、上記幾何学的中心は、上記駆動シャフトの上記回転軸から、少なくとも約０．１５ｍｍの距離だけ離間される、項目５０に記載の回転式アテレクトミーデバイス。
（項目５５）
上記偏心拡大直径部は、約１．０ｍｍから約１．５ｍｍの間の最大断面直径を有し、上記幾何学的中心は、上記駆動シャフトの上記回転軸から、少なくとも約０．０３５ｍｍの距離だけ離間される、項目５０に記載の回転式アテレクトミーデバイス。
（項目５６）
上記偏心拡大直径部は、約１．５ｍｍから約１．７５ｍｍの間の最大断面直径を有し、上記幾何学的中心は、上記駆動シャフトの上記回転軸から、少なくとも約０．０７ｍｍの距離だけ離間される、項目５０に記載の回転式アテレクトミーデバイス。
（項目５７）
上記偏心拡大直径部は、約１．７５ｍｍから約２．０ｍｍの間の最大断面直径を有し、上記幾何学的中心は、上記駆動シャフトの上記回転軸から、少なくとも約０．１５ｍｍの距離だけ離間される、項目５０に記載の回転式アテレクトミーデバイス。
（項目５８）
上記偏心拡大直径部は、少なくとも約２．０ｍｍの最大断面直径を有し、上記幾何学的中心は、上記駆動シャフトの上記回転軸から、少なくとも約０．２５ｍｍの距離だけ離間される、項目５０に記載の回転式アテレクトミーデバイス。
（項目５９）
上記偏心拡大直径部は、約１．５ｍｍから約１．７５ｍｍの間の最大断面直径を有し、上記幾何学的中心は、上記駆動シャフトの上記回転軸から、少なくとも約０．０９ｍｍの距離だけ離間される、項目５０に記載の回転式アテレクトミーデバイス。
（項目６０）
上記偏心拡大直径部は、約１．７５ｍｍから約２．０ｍｍの間の最大断面直径を有し、上記幾何学的中心は、上記駆動シャフトの上記回転軸から、少なくとも約０．２０ｍｍの距離だけ離間される、項目５０に記載の回転式アテレクトミーデバイス。
（項目６１）
上記偏心拡大直径区分は、少なくとも約２．０ｍｍの最大断面直径を有し、上記幾何学的中心は、上記駆動シャフトの上記回転軸から、少なくとも約０．３０ｍｍの距離だけ離間される、項目５０に記載の回転式アテレクトミーデバイス。
（項目６２）
上記組織切除面は、研磨面である、項目１に記載の回転式アテレクトミーデバイス。
（項目６３）
所与の直径を有する動脈における狭窄を開口するための高速回転式アテレクトミーデバイスであって、
該動脈の該直径よりも小さい最大直径を有するガイドワイヤと、
該ガイドワイヤ上で前進可能である、可撓性で細長い回転可能な駆動シャフトであって、回転軸を有する駆動シャフトと、
該駆動シャフトに取り付けられる、少なくとも１つの半王冠状偏心研磨ヘッドであって、該研磨ヘッドは、近位部分および中間部分を備え、該近位部分は近位外面を備え、該中間部分は中間外面を備え、該近位外面は、遠位に増加する直径と、近位の丸い縁とを有し、該中間外面は、円柱状であり、少なくとも該中間外面は、組織切除部を備え、該研磨ヘッドは、該研磨ヘッドを通る駆動シャフト管腔および中空チャンバを画定し、該駆動シャフトは、少なくとも部分的に該駆動シャフト管腔を横断する、偏心研磨ヘッドと
を備える、高速回転式アテレクトミーデバイス。
（項目６４）
上記近位外面は、少なくとも２つの領域を備え、該２つの領域のうちの第１の領域は、近位円錐の外側面によって実質的に画定され、該２つの領域のうちの第２の領域は、円柱の外側面によって実質的に画定され、該近位円錐は、上記駆動シャフトの上記回転軸に一致する軸を有し、該円柱は、該駆動シャフトの該回転軸に平行であり、かつ該駆動シャフトの該回転軸から離間した軸を有し、上記中間外面は、上記少なくとも１つの偏心研磨ヘッドの上記近位外面および遠位外面の第２の領域を画定する、該円柱の外側面によって実質的に画定される、項目６３に記載の回転式アテレクトミーデバイス。
（項目６５）
上記少なくとも１つの半王冠状偏心研磨ヘッドは、少なくとも部分的に可撓性である、項目６３に記載の回転式アテレクトミーデバイス。
（項目６６）
上記少なくとも１つの半王冠状偏心研磨ヘッドは、上記近位部分、中間部分、および／または遠位部分上に配置される、少なくとも１つの可撓性スロットを備え、上記少なくとも１つの可撓性スロットは、切断の制御可能な幅、深さ、および角度を有する、項目６４に記載の回転式アテレクトミーデバイス。
（項目６７）
所与の直径を有する動脈における狭窄を開口するための方法であって、
該動脈の該直径よりも小さい最大直径を有するガイドワイヤを提供することと、
該狭窄の近位の位置まで、該動脈内へ該ガイドワイヤを前進させることと、
該ガイドワイヤ上で前進可能である、可撓性で細長い回転可能な駆動シャフトであって、回転軸を有する駆動シャフトを提供することと、
該駆動シャフトに取り付けられる、少なくとも１つの偏心研磨ヘッドであって、少なくとも近位部分および中間部分を備える、研磨ヘッドを提供することであって、
該近位部分は、近位外面と、近位の丸い縁とを備え、該中間部分は、中間外面を備え、該近位外面は、遠位に増加する直径を有し、遠位外面は、遠位に減少する直径を有し、該中間外面は、円柱状であり、少なくとも該中間外面は、組織切除部を備え、該研磨ヘッドは、該研磨ヘッドを通る駆動シャフト管腔および中空チャンバを画定し、該駆動シャフトは、少なくとも部分的に該駆動シャフト管腔を横断する、ことと、
該ガイドワイヤ上で該駆動シャフトを前進させることであって、該少なくとも１つの偏心研磨ヘッドは、該狭窄に隣接する、ことと、
該駆動シャフトおよび取り付けられた少なくとも１つの偏心研磨ヘッドを、２０，０００ｒｐｍから２００，０００ｒｐｍの間の速度で回転させることと、
該少なくとも１つの偏心研磨ヘッドが横断する軌道経路を生成することと、
該少なくとも１つの偏心研磨ヘッドで該狭窄を研磨することと
を含む、方法。